(57)【要約】【課題】主基板と電気部材とを接続する信号伝達用補助基板を効率的に配置し大型化を抑止しながら両者の接続を確保しかつ両者間の着脱性を容易にして組立や修理等を簡易化したカメラを提供する。【解決手段】フイルム室４６と、これに隣接配置した電池収納室４８とを有するカメラにおいて本体に配設されフイルム室と電池収納室に隣接しレンズ光軸に略直交する面に沿って配置した第１のプリント回路基板５１と、フイルム装填時にフイルム室の内部を露呈させ得るよう開閉自在に配設される装填蓋１６と、装填蓋に配設され第１のプリント回路基板に接続する接続端部５３ａを備えた第２のプリント回路基板５３と、第１のプリント回路基板の一面と電池収納室の外壁とフイルム室の外壁とに囲まれる空間に配置され第１のプリント回路基板に対して接続端部を略垂直に接続するように第１のプリント回路基板に設けた接続手段６３とを具備して構成する。【選択図】　　図１２
2004117595.tif 000002
【特許請求の範囲】
【請求項１】
フイルムを収納するフイルム室と、このフイルム室に隣接して配置された電池収納室とを有するカメラにおいて、
カメラ本体側に配設されていて、上記フイルム室及び上記電池収納室に隣接する位置で、撮影レンズの光軸に対し略直交する面に沿うように配置される第１のプリント回路基板と、
上記フイルムを装填する際に上記フイルム室の内部を露呈させ得るよう開閉自在に配設される装填蓋と、
上記装填蓋に配設され、上記第１のプリント回路基板に接続される接続端部を備えた第２のプリント回路基板と、
上記第１のプリント回路基板の一方の面と上記電池収納室の外壁と上記フイルム室の外壁とによって囲まれる空間に配置され、上記第１のプリント回路基板の一方の面に対して上記第２のプリント回路基板の上記接続端部を略垂直に接続し得るように上記第１のプリント回路基板に設けられる接続手段と、
を具備していることを特徴とするカメラ。
【請求項２】
上記第２のプリント回路基板は、フレキシブルプリント基板からなり、
上記接続手段は、上記第１のプリント回路基板に実装される直交接続型のＦＰＣコネクタであることを特徴とする請求項１に記載のカメラ。
【請求項３】
カメラ本体の側面がわに設けられる上記電池収納室の内部を露呈する開放位置と、同電池収納室の内部を覆う閉鎖位置との間で開閉自在に構成される電池室蓋を、さらに有し、
上記電池室蓋をその開放位置に配置した際には、上記接続手段が露呈されるようになっており、上記第２のプリント回路基板の上記接続端部を、撮影レンズの光軸に沿う方向に移動させることで当該接続端部を上記接続手段に接続し得るように構成されていることを特徴とする請求項１に記載のカメラ。
【請求項４】
フイルムを収納するフイルム室と、このフイルム室に隣接して配置された電池収納室とを有するカメラにおいて、
カメラ本体側に配設されていて、上記フイルム室及び上記電池収納室に隣接する位置で、撮影レンズの光軸に対し略直交する面に沿うように配置される第１のプリント回路基板と、
表示を行なう表示装置と、
上記第１のプリント回路基板に配設され、上記表示装置を駆動する表示装置駆動回路と、
上記表示装置と上記第１のプリント回路基板との間を接続する配線を備えると共に、上記第１のプリント回路基板に接続される接続端部を備えた第２のプリント回路基板と、
上記第１のプリント回路基板の一方の面と上記電池収納室の外壁と上記フイルム室の外壁とによって囲まれる空間に配置され、上記第１のプリント回路基板の一方の面に対して上記第２のプリント回路基板の上記接続端部を略垂直に接続し得るように上記第１のプリント回路基板に設けられる接続手段と、
を具備していることを特徴とするカメラ。
【請求項５】
フイルムを収納するフイルム室と、このフイルム室に隣接して配置された電池収納室とを有するカメラにおいて、
カメラ本体の側面がわに設けられる上記電池収納室の内部を露呈する開放位置と、同電池収納室の内部を覆う閉鎖位置との間で開閉自在に構成される電池室蓋と、
カメラ本体側に配設されていて、上記フイルム室及び上記電池収納室に隣接する位置で、撮影レンズの光軸に対し略直交する面に沿うように配置される第１のプリント回路基板と、
上記フイルムを装填する際に上記フイルム室の内部を露呈させ得るよう開閉自在に配設される装填蓋と、
上記装填蓋に配設され、上記第１のプリント回路基板に接続される接続端部を備えた第２のプリント回路基板と、
上記第１のプリント回路基板の一方の面と上記電池収納室の外壁と上記フイルム室の外壁とによって囲まれる空間に配置され、かつ上記電池室蓋がその開放位置に配置された際には露呈するようになっており、上記第１のプリント回路基板の一方の面に対して上記第２のプリント回路基板の上記接続端部を略直交する方向に着脱自在となるように上記第１のプリント回路基板に実装される接続手段と、
を具備していることを特徴とするカメラ。
【発明の詳細な説明】
【０００１】
【発明の属する技術分野】
この発明は、カメラ、詳しくはフイルムを収納するフイルム室とこのフイルム室に隣接して配置された電池収納室とを有し、プリント回路基板を備えて構成されるカメラに関するものである。
【０００２】
【従来の技術】
従来より、写真撮影を行なうカメラにおいては、撮影用ロールフイルムを収納するためのフイルム室を備えて構成されているのが一般である。また、近年のカメラにおいては、撮影時に行なう各種の動作、例えば焦点調節動作や露出調節動作、フイルムの巻き上げ及び巻き戻し動作などを自動化するための電化が進んでいる。このような撮影動作の自動化のために適用されるモータ等の駆動手段は、リチウム電池や乾電池等の電源電池が必要となる。
【０００３】
そこで、従来のカメラでは、電源電池をカメラ本体に内蔵したものが一般に実用化されている。この場合において、電源電池は、それ自体の重量及びそのサイズが大きく、その形状が円筒形状を呈しているのが一般である。また、フイルムを収納するフイルム室、即ちロール状フイルムが巻回されて収納されているフイルムパトローネを装填するパトローネ室又は当該フイルムパトローネから引き出された後の撮影済み部分を巻回させて光密状態を維持しながら収納するスプール室も、上述の電池収納室と同様に略円筒形状を呈しているのが普通である。
【０００４】
このように、電池収納室及びフイルム室は、カメラ本体に対して比較的大きな空間を占有しながら、その形状が略円筒形状であることから、両者の配置を工夫することが、カメラの小型化を実現する上での重要な設計事項となっている。
【０００５】
そこで、従来のカメラにおいては、電池収納室を一方のフイルム室に隣接させて配置することで効率的なレイアウトを実現し、よってカメラの小型化に寄与するようにしたものが一般に実用化されている。
【０００６】
一方、上述のように自動化された従来のカメラにおいては、各種の動作を電子的に制御するために、例えばＣＰＵ等の電気部品を実装した複数の電気基板をカメラの内部に備えて構成されるのが一般である。この場合において、制御手段や複数の操作部材等から生じる各種の信号を所定の部材へと伝達するためには、複数の電気基板同士を確実にかつ効率的に接続する必要がある。その一方で、カメラを製造する際の組立作業や製造されたカメラの修理等を効率的に行なう工夫も考慮する必要がある。
【０００７】
従来のカメラにおいて、例えば特開２００２−７６５６０号公報に開示されているカメラは、カメラの前面側の所定の位置に配置されるプリント基板からなる主基板に対して複数のフレキシブルプリント基板（ＦＰＣ）からなる補助基板とを接続するように構成したものであって、撮影レンズの光軸に対して略直交する面に沿う位置に主基板を配置し、この主基板に対して略平行となる方向に複数の補助基板を接続するようにしている。この場合において、主基板と補助基板とを接続する接続コネクタは、主基板をカメラ本体に配設した場合において外面となる面に実装されている。
【０００８】
また、従来のカメラにおいて、例えば特開平７−４３８０６号公報に開示されているカメラは、主基板と補助基板とをフレキシブルプリント基板（ＦＰＣ）によって構成し、主基板から多数の腕部を形成するようにしている。そして、主基板の腕部を補助基板に重ねて配置し、この重合部をねじ止め等によって圧接接続するいわゆる平行圧接接続を採用している。具体的には、主基板の腕部を電池収納室に沿うように配置し、これを後蓋側から延出される補助基板の所定の部位に重ね合わせて平行圧接接続をしている。
【０００９】
【特許文献１】
特開２００２−７６５６０号公報
【００１０】
【特許文献２】
特開平７−４３８０６号公報
【００１１】
【発明が解決しようとする課題】
ところが、上記特開２００２−７６５６０号公報に開示される手段によれば、主基板上に実装される接続コネクタが外面に向けて配設されていると共に、主基板と補助基板との接続部位、即ち接続コネクタ近傍において、両者を重ねて配置することになる。そのために、主基板の周囲に所定の空間が必要となるためカメラの小型化には限界がある。
【００１２】
また、当該手段によれば、主基板をカメラ本体の所定の位置に配設した後、複数の補助基板を接続するようにしているので、例えばカメラの後蓋部等に配置される操作部材等と主基板との間で信号を伝達するための補助基板等を、主基板の外面に設けた接続コネクタに接続する構成とした場合、カメラの背面側から主基板の外面を回り込むように補助基板を配置する必要があるので、その配置空間が必要となる。一方、主基板の背面側に接続コネクタを設けこれに対して補助基板を接続するように構成した場合には、配置空間を小さくすることができるが、反面、主基板をカメラ本体に配設した状態において補助基板を着脱することは困難な構成となっている。
【００１３】
また、上記特開平７−４３８０６号公報に開示されている手段によれば、主基板と補助基板とをフレキシブルプリント基板（ＦＰＣ）によって構成していることから、製造コストが高価になるという問題点がある。さらに、主基板に多数の腕部を形成することで形状が複雑になるため、その製造コストがさらに高価になるという問題点がある。また、フレキシブルプリント基板同士を平行圧接接続するように構成しているので、着脱時の良好な作業性を確保し難いという問題があるのと同時に、主基板及び補助基板の両者の位置決めを行なう位置決め部材をカメラ本体側に設ける必要が生じることから、カメラ自体が大型化してしまうという問題点もある。
【００１４】
本発明は、上述した点に鑑みてなされたものであって、その目的とするところは、主基板とこの主基板から離れた位置に配設される電気部材との間に介在し当該電気部材と主基板との間で信号を伝達するための補助基板をカメラ内部において効率的に配置すると共に、カメラの大型化を抑止しながら主基板と補助基板との接続を確保し、かつ両者の間の着脱性を容易にすることでカメラの組立や修理等の簡易化に寄与し得るカメラを提供することである。
【００１５】
【課題を解決するための手段】
上記目的を達成するために、第１の発明によるカメラは、フイルムを収納するフイルム室と、このフイルム室に隣接して配置された電池収納室とを有するカメラにおいて、カメラ本体側に配設されていて、上記フイルム室及び上記電池収納室に隣接する位置で、撮影レンズの光軸に対し略直交する面に沿うように配置される第１のプリント回路基板と、上記フイルムを装填する際に上記フイルム室の内部を露呈させ得るよう開閉自在に配設される装填蓋と、上記装填蓋に配設され、上記第１のプリント回路基板に接続される接続端部を備えた第２のプリント回路基板と、上記第１のプリント回路基板の一方の面と上記電池収納室の外壁と上記フイルム室の外壁とによって囲まれる空間に配置され、上記第１のプリント回路基板の一方の面に対して上記第２のプリント回路基板の上記接続端部を略垂直に接続し得るように上記第１のプリント回路基板に設けられる接続手段とを具備していることを特徴とする。
【００１６】
また、第２の発明は、上記第１の発明によるカメラにおいて、上記第２のプリント回路基板は、フレキシブルプリント基板からなり、上記接続手段は、上記第１のプリント回路基板に実装される直交接続型のＦＰＣコネクタであることを特徴とする。
【００１７】
そして、第３の発明は、上記第１の発明によるカメラにおいて、カメラ本体の側面がわに設けられる上記電池収納室の内部を露呈する開放位置と、同電池収納室の内部を覆う閉鎖位置との間で開閉自在に構成される電池室蓋を、さらに有し、上記電池室蓋をその開放位置に配置した際には、上記接続手段が露呈されるようになっており、上記第２のプリント回路基板の上記接続端部を、撮影レンズの光軸に沿う方向に移動させることで当該接続端部を上記接続手段に接続し得るように構成されていることを特徴とする。
【００１８】
第４の発明によるカメラは、フイルムを収納するフイルム室と、このフイルム室に隣接して配置された電池収納室とを有するカメラにおいて、カメラ本体側に配設されていて、上記フイルム室及び上記電池収納室に隣接する位置で、撮影レンズの光軸に対し略直交する面に沿うように配置される第１のプリント回路基板と、表示を行なう表示装置と、上記第１のプリント回路基板に配設され、上記表示装置を駆動する表示装置駆動回路と、上記表示装置と上記第１のプリント回路基板との間を接続する配線を備えると共に、上記第１のプリント回路基板に接続される接続端部を備えた第２のプリント回路基板と、上記第１のプリント回路基板の一方の面と上記電池収納室の外壁と上記フイルム室の外壁とによって囲まれる空間に配置され、上記第１のプリント回路基板の一方の面に対して上記第２のプリント回路基板の上記接続端部を略垂直に接続し得るように上記第１のプリント回路基板に設けられる接続手段とを具備していることを特徴とする。
【００１９】
第５の発明によるカメラは、フイルムを収納するフイルム室と、このフイルム室に隣接して配置された電池収納室とを有するカメラにおいて、カメラ本体の側面がわに設けられる上記電池収納室の内部を露呈する開放位置と、同電池収納室の内部を覆う閉鎖位置との間で開閉自在に構成される電池室蓋と、カメラ本体側に配設されていて、上記フイルム室及び上記電池収納室に隣接する位置で、撮影レンズの光軸に対し略直交する面に沿うように配置される第１のプリント回路基板と、上記フイルムを装填する際に上記フイルム室の内部を露呈させ得るよう開閉自在に配設される装填蓋と、上記装填蓋に配設され、上記第１のプリント回路基板に接続される接続端部を備えた第２のプリント回路基板と、上記第１のプリント回路基板の一方の面と上記電池収納室の外壁と上記フイルム室の外壁とによって囲まれる空間に配置され、かつ上記電池室蓋がその開放位置に配置された際には露呈するようになっており、上記第１のプリント回路基板の一方の面に対して上記第２のプリント回路基板の上記接続端部を略直交する方向に着脱自在となるように上記第１のプリント回路基板に実装される接続手段とを具備していることを特徴とする。
【００２０】
【発明の実施の形態】
以下、図示の実施の形態によって本発明を説明する。
図１・図２・図３・図４は、本発明の一実施形態のカメラを示す図である。このうち、図１は本カメラのレンズバリアを閉位置に配置した際の非使用状態にあるカメラの前面側を主に示す外観斜視図である。図２は本カメラのレンズバリアを開位置に配置した際の使用状態にあるカメラの前面側を主に示す外観斜視図である。図３は本カメラのレンズバリアを開位置に配置した際の使用状態にあるカメラの背面側を主に示す外観斜視図である。図４は本カメラの後蓋を開状態とした際のカメラの背面側を主に示す外観斜視図である。
【００２１】
図に示すように、本カメラ１は、内部に配設されるカメラ本体５０（図２・図３及び後述する図４参照）と、このカメラ本体５０の外面の一部を覆う外装部材１０と、図１・図２に示す矢印Ｘ方向に摺動自在に配置され本カメラ１の前面側の一部を覆うレンズバリア１１と、カメラ本体５０の一方の端部に設けられる支軸３１を回転中心として図３に示す矢印Ｗ方向に回動自在に配設されフイルム（フイルムパトローネ）を装填する際にフイルム室の内部を露呈させ得るよう回動させることで当該カメラ１の背面を開閉自在とするフイルムの装填蓋である後蓋１６等によって構成されている。
【００２２】
上述したようにレンズバリア１１は図１・図２に示す矢印Ｘ方向に摺動自在に配設されている。このレンズバリア１１は電源スイッチ（図７参照）に連動しており、レンズバリア１１の開閉動作によって電源スイッチがオンオフするように構成されている。
【００２３】
つまり、当該レンズバリア１１が図１・図４に示す閉位置から矢印Ｘ１方向に向けて摺動移動されて図２・図３の開位置に配置されたときには、電源スイッチはオン状態となり本カメラ１は撮影動作を実行し得る状態となるように構成されている。一方、当該レンズバリア１１が図２・図３に示す開位置から矢印Ｘ２方向に向けて摺動されて図１・図４の閉位置に配置されたときには、電源スイッチはオフ状態となり本カメラ１は撮影状態を実行し得ない状態となるように構成されている。
【００２４】
本カメラ１の外装部材１０の上面側の一方の端部近傍には複数の上面操作部材５配設されている。この上面操作部材５には、撮影動作を実行する際に操作する部材であって、これを操作することで所定の指示信号を発生させるレリーズスイッチに連動する操作部材であるレリーズボタン１２と、所望の撮影倍率を得る際の変倍動作を実行する際に操作する操作部材であって、撮影レンズの変倍動作に連動し、これを操作することでズームダウン動作（短焦点距離（広角）側への変倍動作）の指示信号を発生させるズームダウンスイッチに連動する操作部材であるズームダウンボタン１３と、同様に所望の撮影倍率を得る際の変倍動作を実行する際に操作する操作部材であって、撮影レンズの変倍動作に連動しこれを操作することでズームアップ動作（長焦点距離（望遠）側への変倍動作）の指示信号を発生させるズームアップスイッチに連動する操作部材であるズームアップボタン１４等がある。
【００２５】
また、本カメラ１の外装部材１０の上面側の他方の端部近傍には、いわゆるポップアップ方式の閃光発光装置１５が配設されている。この閃光発光装置１５は、レンズバリア１１による電源スイッチのオンオフに連動するようになっている。つまり、レンズバリア１１が開位置に配置されて電源スイッチがオン状態にされると閃光発光装置１５は外装部材１０の上面から上方に向けて突出する使用位置に配置されるようになっている。また、レンズバリア１１が閉位置に配置されて電源スイッチがオフ状態にされると閃光発光装置１５は外装部材１０の内部の所定の位置（非使用位置）に収納されるようになっている。
【００２６】
本カメラ１の背面側には後蓋１６が配設されている。この後蓋１６は、上述したようにカメラ本体５０の一方の端部に配設される支軸３１（図３・図４参照）を回転中心として回動自在となっている。そして、この後蓋１６を開状態とすることで、カメラ本体５０の両端部近傍に設けられるフイルム室（後述するパトローネ室４６及びスプール室４９）を開放状態とし、カメラ本体５０に対するフイルムの装填及び取り出しができるようになっている。
【００２７】
また、後蓋１６は係止爪部４４（図４参照）等によって構成される所定の係止手段によってその閉状態を維持し得るように構成されている。そして、後蓋１６の係止状態は係止解除ボタン１７を操作することによって解除し得るように構成されていて、後蓋１６を容易に開状態とする事ができるようになっている。なお、後蓋１６の係止手段及びその解除手段については本実施形態と直接関係が無い部分であり、従来のカメラにおいて一般的に利用されているものであるのでその構成についての詳細な説明は省略する。
【００２８】
本カメラ１の前面側であって、レンズバリア１１を開状態としたときには外部に露出し閉状態としたときには当該レンズバリア１１によって外部から覆い隠される部位には、撮影動作を実行するための各種の部材が配設されている。例えば、本カメラ１の前面側の略中央部近傍には撮影レンズ１９を保持する撮影レンズ鏡筒１８が配設されている。この撮影レンズ鏡筒１８はレンズバリア１１の開閉動作に連動する電源スイッチのオンオフ状態に応じてカメラ本体５０の内部に収納される沈胴位置とカメラ本体５０の前面側に突出する所定の撮影準備位置との間で移動し得るように構成されている。つまり、レンズバリア１１が開位置に移動して電源スイッチがオン状態になるとこれに連動して当該撮影レンズ鏡筒１８は前方に繰り出され所定の撮影準備位置に配置されるようになっている（図２に示す状態）。また、レンズバリア１１を閉位置に移動させる動作に伴って電源スイッチがオフ状態になるとこれに連動して当該撮影レンズ鏡筒１８は図２に示す撮影準備位置から後方に向けて沈胴しカメラ本体５０の内部における所定の収納位置に配置されるようになっている（図１に示す状態）。
【００２９】
また、この撮影レンズ鏡筒１８の周縁部には、撮影の対象となる被写体の観察を行なうためのファインダー装置の一部を構成するファインダー対物レンズ２１と、被写体までの距離情報を検出するためのパッシブ方式のオートフォーカス装置の一部を構成するオートフォーカスモジュール（以下、ＡＦモジュールという）２２と、集光レンズや測光センサー等からなり被写体及びその近傍の輝度を測定するための測光装置の一部を構成する測光センサー２３ａ（図５参照）の露出部となる測光窓２３と、発光ダイオード（ＬＥＤ）等からなりセルフタイマーモードによる撮影動作を実行する際の設定時間の進行状態を表示するためのセルフタイマーＬＥＤ２４ａ（図５参照）の露出部となるセルフタイマー表示窓２４と、可視光カットフイルタとその後方に配置される赤外線センサー等からなり所定のリモートコントロール装置から出射されるパルス赤外光を検出するためのリモコンセンサー２５ａ（図６参照）の露出部となるリモコンセンサー窓２５等が配設されている。
【００３０】
カメラ１の背面側には、上側縁部近傍の略中央部にファインダー装置の一部を構成するファインダー接眼レンズ４１が配設されている。このファインダー接眼レンズ４１の近傍には、閃光発光装置の充電状態や発光状態を表示するための発光ダイオードであるストロボＬＥＤ４２と、オートフォーカス装置からの信号を受けて合焦状態を表示したり測光装置からの信号を受けて手ブレ警告表示等を行なうための発光ダイオードであるＡＦ−ＬＥＤ４３等が配設されている。
【００３１】
後蓋１６は上述したようにカメラ本体５０の一方の端部に配設される支軸３１によって図４に示す矢印Ａ方向に回動自在に配設されている。そして、当該後蓋１６が図３に示すように閉状態とされたときにはカメラ１の背面側を覆うようになっている。また、当該後蓋１６が図４に示すように開状態とされたときにはカメラ１の背面側を露出するようになっている。
【００３２】
後蓋１６には、本カメラ１の状態や各種の情報等を表示するための情報表示用の液晶表示装置（ＬＣＤ）３４が配設されている。この液晶表示装置３４の近傍には複数の操作部材からなる背面操作部材６が配設されている。この背面操作部材６としては、例えば通常撮影モード・セルフタイマーモード・リモコンモード・手ブレ軽減モード等、設定し得る撮影動作形態を切り換えるための操作部材であるセルフリモコン設定ボタン３５と、自動発光モード・赤目軽減発光モード・発光停止モード・強制発光モード・夜景モード・赤目軽減夜景モード等、閃光発光装置を用いる際の撮影動作形態を選択切換を行なうための操作部材であるストロボモードボタン３６と、撮影時の測光対象範囲と合焦対象範囲とを画面の略中央部分の所定の位置に限定する撮影形態であるスポットモードと撮影レンズ１９の合焦状態を無限遠位置（∞）に固定する撮影形態である遠景モードとの切り換えを行なうための操作部材であるスポット遠景モードボタン３７と、装填されているフイルムを使用途中で巻き戻す際に操作する操作部材である途中巻戻ボタン３８と、内部時計の日時情報の設定を行なう際に操作する操作部材であるデート設定ボタン３９と、撮影するフイルムの画面上に対して日付情報等を写し込むか否かの日付写込機能の選択と写し込むべき日付情報の種類（年月日・月日年・日月年・日時分等）を選択設定するための操作部材であるデートモードボタン４０等がある。
【００３３】
上述のように本カメラ１においては、手ブレ軽減モードの設定をセルフタイマーモードやリモコンモードの設定を行なう操作部材と同一の部材（セルフリモコン設定ボタン３５）によって設定し得るように構成していることから、これとは別に設けられる操作部材、即ちストロボモードボタン３６やスポット遠景モードボタン３７で設定し得る撮影モードとの組み合わせ設定が可能となっている。
【００３４】
また、本カメラ１においては、セルフタイマーモードとリモコンモードと手ブレ軽減モードとを同一の操作部材（３５）によって選択的に設定し得るようにしている。一般的にセルフタイマーやリモコンを用いた撮影動作を行なう際にはカメラ１を三脚等の固定物に載置して使用されるのが普通である。したがってこれら三つの撮影モード（セルフタイマーモードとリモコンモードと手ブレ軽減モード）を同一の操作部材（３５）で選択的に設定し得るように構成しても不都合は無いと考えられる。そして、このような構成とすることによって設定に関する操作部材を多数設けることで生じる操作上の混乱を抑えることができ、よって良好な操作性を確保することができるのである。
【００３５】
また後蓋１６には、これを閉状態としたときにパトローネ室４６に対向する側の所定の位置に透明窓からなるパトローネ窓３３が設けられている。このパトローネ窓３３はカメラ１にフイルムパトローネ（図示せず）が装填されているか否かの確認と、フイルムパトローネが装填されている場合にはそのフイルムパトローネの外周面上に記載されたフイルム種類等の情報を確認し得るように所定の位置に配置されていて、かつ当該パトローネ窓３３から内部に光が進入しないような光密構造となっている。なお、このパトローネ窓３３については本実施形態に直接関係するものではなく、また従来のカメラにおいて一般的に使用されているものであるのでその詳細な説明は省略する。
【００３６】
カメラ１の外装部材１０の一方の側面には本カメラ１の主電源となる電源電池４５を電池収納室４８（図４参照）に対して着脱するための電池室蓋３２が図４に示す矢印Ｂ方向に回動自在となるように配設されている。この場合において当該電池室蓋３２の支軸は、後蓋１６の支軸３１と同軸となるように構成されている。そして、当該電池室蓋３２を図３に示す閉鎖位置に配置したときには電池収納室４８の内部に収納された電源電池４５は当該電池室蓋３２によって外部から覆い隠されようになっている。また、当該電池室蓋３２を図４に示す開放位置に配位置することで電池収納室４８に対して電源電池４５を着脱することができるようになっている。またさらに、電池室蓋３２を開放位置に配置して電池収納室４８の内部から電源電池４５を取り出した状態においては、後述するように後蓋１６に設けられる補助基板であって第２のプリント回路基板である後蓋ＦＰＣ（ＰＣ３）５３と第１のプリント回路基板である主基板（ＰＣ１）５１（図５以降参照）との間の接続及び取り外しを行なうことができるように構成されている。
【００３７】
図４に示すように本カメラ１において後蓋１６を開状態とするとカメラ本体５０の両端部近傍に配設されるパトローネ室４６とスプール室４９とこの両者の間に形成される露光用開口部５０ａ及びその近傍に形成されるフイルムマスク面５０ｂ等が露出するようになっている。
【００３８】
フイルムパトローネ室（以下単にパトローネ室という）４６は、フイルムパトローネ（図示せず）を収納する空間であって、本カメラ１においては、そのカメラ本体５０の一側面寄りの所定の位置（本カメラ１を使用者が使用する際の把持手側）に形成されている。このパトローネ室４６の内部における略中央部の床面には、フイルムパトローネのパトローネ軸に係合するフイルム巻戻軸（図示せず）が回動自在に配設されている。このフイルム巻戻軸は、所定の駆動力伝達機構を経て駆動源（駆動モータ等）から伝達される回転駆動力を受けてパトローネ軸を所定の方向へと回転させ得るように構成されている。これによって後述するスプール室４９に収納されている撮影済みフイルムをフイルムパトローネの内部へと巻き戻す役目をしている。なお、その具体的な巻き戻し機構については従来のカメラにおいて採用されているものと同様である。
【００３９】
スプール室４９の内部には略円柱形状のスプール軸４９ａが回動自在に配設されている。このスプール軸４９ａの外周面上の所定の位置には爪部４９ｂが形成されている。この爪部４９ｂはフイルムパトローネから引き出されたロール状フイルムのパーフォレーションが係合し得るように形成されており、両者が係合した状態となったときに所定の駆動モータによって当該スプール軸４９ａを所定の方向へ回転させることで当該フイルムを巻き上げることができるようになっている。なお、スプール軸４９ａは通常の場合、フイルムを巻き上げる方向にのみ回転し得るようになっている一方、フイルム巻き戻し動作時には正逆両方向に回動し得るように構成されている。その具体的な機構については従来のカメラにおいて採用されている駆動機構と同様である。
【００４０】
パトローネ室４６とスプール室４９との間の空間には露光用開口部５０ａが設けられている。この露光用開口部５０ａの前方には撮影レンズ鏡筒１８が配設されている。またこの露光用開口部５０ａの周縁部はフイルムマスク面５０ｂとなっており、パトローネ室４６の内部に装填されたフイルムパトローネから引き出されスプール室４９のスプール軸４９ａに巻回されているフイルムが当接するようになっている。これによって撮影動作時におけるフイルムの位置決めが行なわれるようになっている。
【００４１】
次に、本カメラ１の内部に配設される複数の電気回路基板の構成について、以下に説明する。
【００４２】
図５は本実施形態のカメラの外装部材を外した状態を示す斜視図である。図６は本カメラにおける電気回路の概略構成を示すブロック構成図である。
【００４３】
カメラ本体５０に対して略中央部に撮影レンズ鏡筒１８が配設されている。この撮影レンズ１９の上部側にはファインダーユニット６０が配設されている。このファインダーユニット６０の近傍であって当該カメラ本体５０の他方の端部（スプール室４９側の端部）の上面に閃光発光装置１５が配設されている。
【００４４】
また、当該カメラ本体５０の一方の端部（パトローネ室４６側の端部）であって電池収納室４８の背面寄りの所定の位置には閃光発光用コンデンサ４７が配設されている。
【００４５】
そして、カメラ本体５０の一方の端部（パトローネ室４６側の端部）において電池収納室４８の前面側には主基板（ＰＣ１）５１がカメラ本体５０に対して固設されている。また、この主基板５１の近傍であってカメラ本体５０の一方の端部の電池収納室４８の上面側には副基板（ＰＣ２）５２が主基板５１と同様にカメラ本体５０に対して固設されている。なお、主基板５１及び副基板５２は共に多層硬質基板によって形成されていて、この主副基板５１・５２に対して複数のフレキシブルプリント基板、即ち下面ＦＰＣ（ＰＣ４）５４・鏡筒ＦＰＣ（ＰＣ５）５５・測光ＦＰＣ（ＰＣ６）５６・ＡＦ−ＦＰＣ（ＰＣ７）５７・上面ＦＰＣ（ＰＣ８）５８等がそれぞれ所定の位置に配置されビス等の締結手段によって所定の端子部が圧接接続されている。
【００４６】
ここで主基板の詳細について図７・図８を用いて説明する。図７・図８は本カメラにおける主基板（ＰＣ１）のみを取り出して示す斜視図であって、図７は当該主基板の表面側を主に示し、図８は当該主基板の裏面側を主に示している。
【００４７】
本実施形態のカメラ１における主基板５１は、上述したように多層硬質基板によって形成されている。その実装面上には、合焦動作や測光及び自動露出動作等の各種の演算を行ない表示装置駆動回路を含むと共にカメラ全体の制御を行なうＣＰＵ等からなる制御回路６１と、制御回路６１（図６においてはＣＰＵとして示している）によって処理されない各種のアナログ信号処理等を行なうインターフェイス回路６２（図６においてはＩＦＩＣとして示している）と、後蓋ＦＰＣ５３との接続部となる接続手段である直交接続型のＦＰＣコネクタ（以下、単にＦＰＣコネクタという）６３と、レンズバリア１１の開閉動作に連動してオン信号又はオフ信号を発生させるバリアスイッチ６４と、リモコンセンサー２５ａ・ＥＥＰＲＯＭ・パワートランジスタ・モータドライバ等等の電気部品がそれぞれ所定の位置に配設されている。さらに、主基板５１の実装面上には上述した複数の補助基板（フレキシブルプリント基板（ＰＣ４〜ＰＣ８）のそれぞれとの間で圧接接続するための複数の端子部５１ａ・５１ｂ・５１ｃが形成されている。
【００４８】
そして、主基板５１の端子部５１ａを介して鏡筒ＦＰＣ５５が、主基板５１の端子部５１ｂを介して測光ＦＰＣ５６及びＡＦ−ＦＰＣ５７が、主基板５１の端子部５１ｃを介して上面ＦＰＣ５８の端子部５８ｂがそれぞれ圧接接続されている。また、副基板５２の端子部５２ａを介して上面ＦＰＣ５８の端子部５８ａが圧接接続されている。そして、これにより主副基板５１・５２は上面ＦＰＣ５８を介して電気的に接続されている。なお、副基板５２はリード線５９を介して閃光発光装置とも接続されている。また下面ＦＰＣ５４の接続については図示されていないが同様の手段で主基板５１に対して接続されている。
【００４９】
なお、制御回路６１とインターフェイス回路６２とは共にＣＯＢ（Ｃｈｉｐ　Ｏｎ　Ｂｏａｒｄ）実装されている。また、ＦＰＣコネクタ６３は上述のように後蓋ＦＰＣ５３との間で電気的な接続を確保するための接続部材であって、主基板５１に対して略垂直方向（直交する方向）に後蓋ＦＰＣ５３を接続し得るように形成されているものである。
【００５０】
また、裏面側の配線パターンについては、例えば制御回路６１から延出されるＬＣＤ駆動ライン（液晶表示装置３４を駆動するための配線）中心に形成されていて、その略半分の配線が当該制御回路６１に隣接配置されているＦＰＣコネクタ６３に向けて配線されている。その他の配線は、内層を通して各電気部材及び各端子部等に向けて配線されている。
【００５１】
副基板５２及び複数のフレキシブルプリント基板（５３〜５８）については、例えば次に示されるように構成されている。
【００５２】
副基板（ＰＣ２）５２には、撮影準備動作（変倍（ズーム）動作等）や撮影動作（レリーズ動作）等、上面操作部材５に連動する各種スイッチ類５ａ（図６では上面ＳＷとして示している）や閃光発光装置１５の充電発光回路（図６ではストロボ回路として示している）等等が実装されており上面ＦＰＣ５８を介して制御回路６１との間で信号授受を行なっている。
【００５３】
後蓋ＦＰＣ（ＰＣ３）５３は、上述したように後蓋１６に配置されるフレキシブルプリント基板である。
【００５４】
図９は本カメラにおける後蓋とこの後蓋に配設される電気基板（後蓋ＦＰＣ（ＰＣ３））とを取り出して示す概略斜視図である。図１０は本カメラにおける後蓋ＦＰＣ（ＰＣ３）とこれに接続される液晶表示装置のみを取り出して示す概略斜視図である。
【００５５】
後蓋ＦＰＣ５３には、これに接続配置される液晶表示装置３４の駆動信号を伝達する端子部５３ｃと、背面操作部材６に連動する各種スイッチ類（図６では後蓋ＳＷとして示してある）６ａからの信号を伝達する配線パターンが形成されている。そして、液晶表示装置３４は導電ゴム６５を介して当該後蓋ＦＰＣ５３の所定の位置に接続は位置されるようになっている。
【００５６】
また、この後蓋ＦＰＣ５３は、後述するように閃光発光用コンデンサ４７の外周に沿うように配置され電池収納室４８を通過させた後、ＦＰＣコネクタ６３を介して主基板５１に接続されるようになっている（図１２参照）。この場合において、ＦＰＣコネクタ６３に接続される接続部となる接続端部５３ａの近傍にはその幅方向の両側縁部の所定の位置に略凹形状の切欠部５３ｂが形成されている。この切欠部５３ｂは、後述するように電池収納室４８の内部における狭い空間であっても後蓋ＦＰＣ５３と主基板５１のＦＰＣコネクタ６３との間で着脱作業を行なうのが容易となるように形成されている。
【００５７】
下面ＦＰＣ（ＰＣ４）５４は、カメラ本体５０の底面側に配置されており、主に駆動系を制御するための信号を扱うフレキシブルプリント基板である。この下面ＦＰＣ５４には、後蓋の開閉状態を検出する後蓋開閉スイッチ（ＳＷ）と、フイルム駆動用と撮影レンズ１９の変倍用の駆動力伝達経路を切り換えるための切換プランジャソレノイド装置と、フイルムのパーフォレーションを検出してフイルムの移動状態を検出するフイルムパーフォレーション検出器と、各駆動モータの回転状態を検出するモータ回転検出器と、駆動力伝達経路の切り換え状態を検出するギアーアーム検出器と、撮影レンズ１９の位置を検出するズーム初期位置検出器等等からの各所定の信号を主基板５１の制御回路６１やインターフェイス回路６２へと伝達するようになっている。なお、これらの検出器からの各信号は、主基板５１のインターフェイス回路６２において処理されるようになっている。
【００５８】
鏡筒ＦＰＣ（ＰＣ５）５５は、撮影レンズ鏡筒１８を制御するための信号を扱うフレキシブルプリント基板であって、撮影レンズ鏡筒１８の内部に配設されるフォーカスパルス検出器・シャッタ作動検出器やフォーカスモータ及びシャッタプランジャソレノイド装置等等からの各所定の信号を主基板５１の制御回路６１やインターフェイス回路６２へと伝達するようになっている。なお、フォーカスパルス検出器・シャッタ作動検出器等からの各信号は、主基板５１のインターフェイス回路６２において処理されるようになっている。また、フォーカスモータ及びシャッタプランジャソレノイド装置は主基板５１の制御回路６１からの指示に基づいてインターフェイス回路６２がパワートランジスタを制御して駆動するようになっている。
【００５９】
測光ＦＰＣ（ＰＣ６）５６には、セルフタイマーＬＥＤ２４ａと測光センサー２３ａとが実装されている。そして、セルフタイマーＬＥＤ２４ａは制御回路６１からの指示に基づいてインターフェイス回路６２によって駆動されるようになっている。また測光センサー２３ａは制御回路６１によって駆動制御されるようになっている。
【００６０】
ＡＦ−ＦＰＣ（ＰＣ７）５７には、ＡＦモジュール２２が実装されていて、これを制御する制御回路６１との間で信号の伝達が行われるようになっている。
【００６１】
上面ＦＰＣ（ＰＣ８）５８には、合焦状態及び手ブレ警告表示用のＡＦ−ＬＥＤ４３やストロボＬＥＤ４２、日付写込用ＬＥＤ等が実装されている。これらの各ＬＥＤは各所定の指示信号に基づいて制御回路６１による駆動制御がなされるようになっている。そして、上述したようにこの上面ＦＰＣ５８を介して主基板５１と副基板５２とが電気的に接続されるようになっている。
【００６２】
なお、主基板５１に対する測光ＦＰＣ５６とＡＦ−ＦＰＣ５７との接続は、図１１に示すようになる。図１１は本カメラにおける主基板（ＰＣ１）と測光ＦＰＣ（ＰＣ６）及びＡＦ−ＦＰＣ（ＰＣ７）との接続部位を拡大してその重合状態を示す要部分解図である。
【００６３】
上述したようにＡＦ−ＦＰＣ５７はＡＦモジュール２２を実装したフレキシブルプリント基板であって片側配線によって構成されている。また、測光ＦＰＣ５６は測光センサー２３ａとセルフタイマーＬＥＤ２４ａを実装したフレキシブルプリント基板であって両面配線によって構成されている。これは両面配線によって構成することで測光センサーの微小信号ラインを裏面でシールドし安定した測光結果を得る役目を担っているほか、主基板５１の端子部５１ｂの配線順序の一部の入れ換えを行なっている。これにより主基板５１の配線面積を節約するように構成している。さらに、このような構成によってＡＦ信号や測光信号等のアナログ信号に対するシールドを行なってノイズを受け難い配線としている。
【００６４】
そして、主基板５１の端子部５１ｂの前面に測光ＦＰＣ５６とＡＦ−ＦＰＣ５７とを重合させた状態としビス等によって圧接接続されるようになっている。
【００６５】
つまり、微小電流を扱う測光センサーを実装する測光ＦＰＣ５６を両面配線で形成し、主基板５１とＡＦ−ＦＰＣ５７との間に重合させて接続するようにしている。そして主基板５１からＡＦ−ＦＰＣ５７への配線の順番を測光ＦＰＣ５６の両面配線によって入れ換えている。このような構成によって実装密度が高くかつ配線の自由度の少ない主基板５１と片面接続で自由度の少ないＡＦ−ＦＰＣ５７との間を効率的に接続し少ない面積で効率的な接続を実現するようにしている。
【００６６】
主基板５１と後蓋ＦＰＣ５３との間の接続は次のようになっている。即ち、図１２・図１３・図１４・図１５は、本実施形態のカメラにおける主基板と後蓋ＦＰＣとの接続を示す図である。このうち、図１２は本カメラの正面からみて左半部を示す横断面図である。図１３は本カメラにおける主基板と後蓋ＦＰＣとの接続部位近傍を拡大して示す要部拡大横断面図である。図１４は図１３に相当する部位の概略斜視図である。図１５は本カメラに向かって左側面から見た際の内部構成の概略を示す部材構成図である。
【００６７】
図に示すようにＦＰＣコネクタ６３は主基板５１の裏面側において撮影レンズ１９の光軸Ｏ（図２・図４参照）に沿う方向、即ち主基板５１に対して略直交する方向にむけて所定のフレキシブルプリント基板（後蓋ＦＰＣ５３）を挿脱し得るように配設されている。そして、当該ＦＰＣコネクタ６３はカメラ本体５０の一方の端部に形成されるパトローネ室４６（フイルム室）と電池収納室４８と主基板５１とによって囲まれた空間に配置されている。
【００６８】
つまり、図示されているようにパトローネ室４６と電池収納室４８とは略円柱形状に形成されていて両者が隣接して配置されている。そしてその前面側に主基板５１が配設されている。したがってこれによりパトローネ室４６と電池収納室４８と主基板５１とによって断面が略三角形状の空間が形成されることになる。一般にこのような空間は部材を配置し難い構造であるためいわゆるデッドスペースとなってしまう傾向がある。しかし、本実施形態のカメラ１においてはこの三角空間にＦＰＣコネクタ６３を配置して効率的なレイアウトを実現している。
【００６９】
一方、電池収納室４８の内壁面の一部であってかつパトローネ室４６の外壁面の一部の所定の位置には図１３に示すように二つの段差部５０ｃ・５０ｄが形成されている。そして、段差部５０ｃに連設する部位であって電池収納室４８の内壁面の一部には孔部４８ｃが形成されている。この孔部４８ｃはＦＰＣコネクタ６３が配置される部位に略対向する位置に形成されている。
【００７０】
なお、このように段差部５０ｃ・５０ｄ及び孔部４８ｃを形成することによって、パトローネ室４６の壁面の肉厚が部分的に薄肉化することになるがカメラ本体５０の強度について支障が生じるほどのことは無い。
【００７１】
後蓋ＦＰＣ５３は図１２に示されるように後蓋１６の略内壁面に沿って配置されており、その先端側の接続端部５３ａは後蓋１６の一端部から延出し、閃光発光用コンデンサ４７及び支軸３１の外周に沿って配置され、さらに電池収納室４８の内壁面に沿うように配置されている。そして最終的に接続端部５３ａは段差部５０ｃ及び孔部４８ｃを経てＦＰＣコネクタ６３に挿入し、これにより後蓋ＦＰＣ５３と主基板５１との接続が確保されるようになっている。この場合において段差部５０ｃは接続端部５３ａをＦＰＣコネクタ６３へと導く案内手段の役目をしている。
【００７２】
他方、ＦＰＣコネクタ６３は図１３に示すようにコネクタ部６３ａとストッパ部６３ｂとによって形成されている。このストッパ部６３ｂは図１３において示す十千部分と符号Ｂで示す点線部分との間で移動自在に構成されている。そして、図１３の点線位置Ｂにストッパ部６３ｂがある状態で後蓋ＦＰＣ５３を挿入接続した後、当該ストッパ部６３ｂを図１３の実線位置に移動させることで挿入接続された後蓋ＦＰＣ５３の接続端部５３ａはその位置において所定の係止手段により係止されるので、例えば後蓋１６に対する開閉動作によって後蓋ＦＰＣ５３に対してある程度の力量が加えられたとしても容易に抜去し得ず、その状態が維持されるように構成されている。この場合において段差部５０ｄはＦＰＣコネクタ６３のストッパ部６３ｂの移動領域を確保するために形成されているものである。
【００７３】
なお、後蓋ＦＰＣ５３がＦＰＣコネクタ６３を介して主基板５１に接続された状態において電池収納室４８の内壁面には柔軟性を有する所定のシート部材（図示せず）が嵌め込まれるようになっている。このシート部材によって当該電池収納室４８の内壁面にはいちされる後蓋ＦＰＣ５３の一部と、電池収納室４８の内壁面に形成される段差部５０ｃ及び孔部４８ｃは覆い隠されるようになっている。
【００７４】
このように構成される本実施形態のカメラ１においては、電池収納室４８を開放状態とするだけで後蓋ＦＰＣ５３と主基板５１との接続部位を容易に切り離すことができる構成となっている。
【００７５】
一般に電池収納室４８の内部空間は比較的狭く形成されているために、上述のような作業、即ち接続端部５３ａのＦＰＣコネクタ６３への挿脱作業等は困難が伴うものである。しかしながら、本実施形態のカメラ１においては、電池収納室４８の内壁面に段差部５０ｃを設けることによって後蓋ＦＰＣ５３の接続端部５３ａが容易にＦＰＣコネクタ６３の挿入部位近傍に導かれ得るように構成されている。
【００７６】
また、後蓋ＦＰＣ５３は片面配線で構成されており、当該後蓋ＦＰＣ５３が所定の位置に配置された場合にはその配線パターン面が電池収納室４８から目視観察し得るがわに配置されるようになっている。したがってこれにより電池収納室４８の孔部４８ｃから接続部位を容易に目視確認することができるようになっている。
【００７７】
さらに、後蓋ＦＰＣ５３の接続端部５３ａ近傍の両側縁部には上述したように切欠部５３ｂが形成されている。これは次のような理由によって設けられているものである。例えば当該カメラ１の製造組立時や修理等を行なう場合には、後蓋ＦＰＣ５３の接続端部５３ａとＦＰＣコネクタ６３とを着脱することになるが、このような場合には、当該切欠部５３ｂはピンセット等の工具を掛ける部位として用い容易に両者の着脱を行ない得るようにするためである。
【００７８】
以上説明したように上記第１の実施形態によれば、主基板５１とパトローネ室４６（フイルム室）と電池収納室４８とによって囲まれる空間は、一般的なフイルムを用いるカメラにおいて生じ易い空間であるが、その形状から無駄な空間となる傾向がある。このような空間に対して後蓋ＦＰＣ５３を接続するためのＦＰＣコネクタ６３を配置して後蓋ＦＰＣ５３を主基板５１に対して略直交する方向に接続するように構成したので、カメラ本体５０の内部空間を有効に利用することができ、よってカメラ１自体の大型化を抑止することができる。
【００７９】
また、ＬＣＤ駆動ラインを含む後蓋ＦＰＣ５３を主基板５１に接続するのに際しては主基板５１に対して略直交する方向に当該主基板５１上に実装したＦＰＣコネクタ６３に挿入接続するように構成したので、配線数や実装部品数が多数になり高価になりがちな主基板５１を略長方形の単純な形状でかつ硬質基板で構成することができるので製造コストの低減化に寄与することができる。
【００８０】
さらに、主基板５１を硬質基板で構成した場合には、フレキシブルプリント基板同士の場合に必要となる接続用の腕部等を形成する必要もなく部材コストを抑制することができ、かつカメラの小型化にも寄与することができる。
【００８１】
また、上述の一実施形態とは別に主基板５１をフレキシブルプリント基板によって構成したとしても、腕部等を形成する必要がないので、その形状を単純化することができる。したがって基板自体の部材コストを抑制することができ、よってカメラ自体の製造コストの低減化に寄与し、さらにその小型化にも寄与することが容易である。
【００８２】
主基板５１とパトローネ室４６（フイルム室）と電池収納室４８とによって囲まれる所定の空間（三角空間）において、例えばフレキシブルプリント基板同士を重合させて圧接接続する場合には、カメラ本体５０のがわに圧接用のビスをねじ込む力量に耐え得る肉厚部分を形成したり、接続すべき複数のフレキシブルプリント基板のそれぞれの位置決めを行なう突起ボス部等を形成する必要がある。ところが本実施形態によれば、これらの構成が全く不要となることからカメラ本体５０の構造を単純化することができる。したがって、カメラ本体５０を製造するための金型の製造コストを抑止することができる。また、カメラ本体５０に対して圧接接続する場合と比較して、カメラ本体５０に対して強度的な考慮を不要とするので設計上の自由度が向上し、その結果小型で安価なカメラを実現することができる。
【００８３】
ＦＰＣコネクタ６３を用いたことから主基板５１と後蓋ＦＰＣとの効率的な接続を確保することができ、よって省スペース化に寄与することができる。したがって、従来のカメラにおいては配線数の多くなりがちな電気部品、例えばＬＣＤドライバ等は後蓋側の基板上に実装するのが普通であったが、本実施形態のカメラにおいてはカメラの前後方向（光軸Ｏに沿う方向）に空間が少ない場合でも後蓋側の基板にＬＣＤドライバ等を実装する必要がなく、当該主基板５１の実装面上に実装し得ることから、カメラ１の小型化及び製造コストの低減化に寄与することができる。
【００８４】
カメラ１の外装部材１０によって覆われる位置に主基板５１を配置しながら、電池収納室４８を開放位置に配置したときには主基板５１と後蓋ＦＰＣ５３との接続部位、即ちＦＰＣコネクタ６３が操作し易い位置に露出されるように構成したので外装部材１０の分解等をせずに主基板５１と後蓋ＦＰＣ５３との着脱作業を容易に行なうことができるのにも関らず、多くの電気部品等が実装されている主基板５１に直接触れることができ難いように構成されている。したがって、主基板５１上の電気部品に触れることによってこれらの電気部品を機械的に破損したり又は静電気等によって電気的な破損を生じたりする等の事故を抑止することができる。
【００８５】
また、ＦＰＣコネクタ６３に接続するフレキシブルプリント基板（後蓋ＦＰＣ５３）の配線パターン面が電池収納室４８の側から見えるように構成したので、目視しながらの着脱作業が容易になると同時に、フレキシブルプリント基板のＦＰＣコネクタ６３に対する挿入位置の確認を容易に行なうことができる。したがって、作業効率の向上に寄与することができる。
【００８６】
パトローネ室４６（フイルム室）の外壁であって電池収納室４８の内壁面に後蓋ＦＰＣ５３を主基板５１上のＦＰＣコネクタ６３へと導く案内手段としての段差部５０ｃを形成したことから後蓋ＦＰＣ５３の位置決めが容易となり、よってこれをＦＰＣコネクタ６３に挿入接続する際の作業性を向上させることができる。
【００８７】
主基板５１のＦＰＣコネクタ６３と後蓋ＦＰＣ５３との着脱作業を電池収納室４８の側から実行し得るようにしたので、カメラ１の外装部材１０を分解することなく容易に当該作業を行なうことができる。したがって、カメラ１の製造時における組立作業や修理作業等を簡略化することができる。
【００８８】
ＦＰＣコネクタ６３はカメラ１を使用する際に使用者が把持する部位に配置されており、そのＦＰＣコネクタ６３のストッパ部６３ｂは撮影レンズ１９の光軸Ｏに沿う方向に移動することでそのロック及びロック解除がなされるようになっている。一般的なカメラにおける把持部は力量が加わる方向を考慮してその強度が確保されている。したがって、主基板５１のＦＰＣコネクタ６３に対して後蓋ＦＰＣ５３を着脱するためにストッパ部６３ｂに力量を加えたとしてもカメラ本体５０の当該部位が物理的に破損してしまうような心配は少ない。
【００８９】
主基板５１の実装面上においては表示装置駆動回路を含む制御回路６１とＬＣＤ駆動ラインを含む後蓋ＦＰＣ５３が接続されるＦＰＣコネクタ６３とを同一面において近接する位置に実装し、かつその実装面は主基板５１をカメラ本体５０に配設する際に当該カメラ本体５０に対向するように配置したので極めて効率的な配線とすることができ、また主基板５１自体の表面積を小さくすることができる。したがって、カメラ自体の小型化及び製造コストの低減化に寄与することができる。
【００９０】
なお、上述の一実施形態のカメラ１では電池収納室４８と主基板５１とに隣接するフイルム室をパトローネ室４６として構成しているが、これに変えてスプール室４９が同位置に配置するような構成とした場合にも全く同様に主基板５１と後蓋ＦＰＣ５３とを同じ接続手段で構成することは容易にできる。
【００９１】
上述の一実施形態では情報表示用の液晶表示装置３４とこれを接続するフレキシブルプリント基板（５３）とを後蓋１６の所定の位置に配置するような構成としているが、このような構成に限らず例えばカメラ１の上面や側面等、他の面に配置するようにした場合にも全く同様に当該フレキシブルプリント基板と主基板５１との接続手段を適用することは容易にできる。
【００９２】
［付記］
上記発明の実施形態により、以下のような構成の発明を得ることができる。
【００９３】
（１）　フイルムを収納するフイルム室と、このフイルム室に隣接して配置された電池収納室とを有するカメラにおいて、
カメラ本体側に配設されていて、上記フイルム室及び上記電池収納室に隣接する位置で、撮影レンズの光軸に対し略直交する面に沿うように配置される第１のプリント回路基板と、
上記フイルムを装填する際に上記フイルム室の内部を露呈させ得るよう開閉自在に配設される装填蓋と、
上記装填蓋に配設され、上記第１のプリント回路基板に接続される接続端部を備えた第２のプリント回路基板と、
上記第１のプリント回路基板の一方の面と上記電池収納室の外壁と上記フイルム室の外壁とによって囲まれる空間に配置され、上記第１のプリント回路基板の一方の面に対して上記第２のプリント回路基板の上記接続端部を略垂直に接続し得るように上記第１のプリント回路基板に設けられる接続手段と、
を具備しているカメラ。
【００９４】
（２）　付記（１）に記載のカメラにおいて、
カメラ本体の側面がわに設けられる上記電池収納室の内部を露呈する開放位置と、同電池収納室の内部を覆う閉鎖位置との間で開閉自在に構成される電池室蓋を、さらに有し、
上記電池室蓋をその開放位置に配置した際には、上記接続手段が露呈されるようになっており、上記第２のプリント回路基板の上記接続端部を、撮影レンズの光軸に沿う方向に移動させることで当該接続端部を上記接続手段に接続し得るように構成されているカメラ。
【００９５】
（３）　付記（１）に記載のカメラにおいて、
上記装填蓋に設けられ情報表示を行なう液晶表示装置を、さらに備え、
上記第１のプリント回路基板は、上記液晶表示装置を駆動する液晶表示装置駆動回路を有して構成されているカメラ。
【００９６】
（４）　　付記（２）に記載のカメラにおいて、
上記第２のプリント回路基板の上記接続端部には、片面導電パターンが形成されており、、上記接続端部は、上記電池室蓋をその開放位置に配置した際には露呈され、上記接続端部を上記第１のプリント回路基板に対して接続した際には、上記片面導電パターンの形成面が上記電池収納室のがわから目視確認をし得る位置に配置されているカメラ。
【００９７】
（５）　　付記（３）に記載のカメラにおいて、
上記第１のプリント回路基板は、上記第２のプリント回路基板と接続を行なうがわの面に、上記液晶表示装置駆動回路が実装されているカメラ。
【００９８】
【発明の効果】
以上述べたように本発明によれば、主基板とこの主基板から離れた位置に配設される電気部材との間に介在し当該電気部材と主基板との間で信号を伝達するための補助基板をカメラ内部において効率的に配置すると共に、カメラの大型化を抑止しながら主基板と補助基板との接続を確保し、かつ両者の間の着脱性を容易にすることでカメラの組立や修理等の簡易化に寄与し得るカメラを提供することができる。
【図面の簡単な説明】
【図１】本発明の一実施形態のカメラを示しレンズバリアを閉位置に配置した際の非使用状態にあるカメラの前面側を主に示す外観斜視図。
【図２】図１のカメラを示しレンズバリアを開位置に配置した際の使用状態にあるカメラの前面側を主に示す外観斜視図である。
【図３】図１のカメラを示しレンズバリアを開位置に配置した際の使用状態にあるカメラの背面側を主に示す外観斜視図。
【図４】図１のカメラを示し後蓋を開状態とした際のカメラの背面側を主に示す外観斜視図。
【図５】図１のカメラの外装部材を外した状態を示す斜視図。
【図６】図１のカメラにおける電気回路の概略構成を示すブロック構成図。
【図７】図１のカメラにおける主基板（ＰＣ１）のみを取り出して示す斜視図であって、当該主基板の表面側を主に示す図。
【図８】図１のカメラにおける主基板（ＰＣ１）のみを取り出して示す斜視図であって、当該主基板の裏面側を主に示す図。
【図９】図１のカメラにおける後蓋とこの後蓋に配設される電気基板（後蓋ＦＰＣ（ＰＣ３））とを取り出して示す概略斜視図。
【図１０】図１のカメラにおける後蓋ＦＰＣ（ＰＣ３）とこれに接続される液晶表示装置のみを取り出して示す概略斜視図。
【図１１】図１のカメラにおける主基板（ＰＣ１）と測光ＦＰＣ（ＰＣ６）及びＡＦ−ＦＰＣ（ＰＣ７）との接続部位を拡大してその重合状態を示す要部分解図。
【図１２】図１のカメラにおける主基板と後蓋ＦＰＣとの接続を示す図であって当該カメラの正面からみて左半部を示す横断面図。
【図１３】図１のカメラにおける主基板と後蓋ＦＰＣとの接続を示す図であって当該主基板と後蓋ＦＰＣとの接続部位近傍を拡大して示す要部拡大横断面図。
【図１４】図１のカメラにおける主基板と後蓋ＦＰＣとの接続を示す図であって図１３に相当する部位の概略斜視図。
【図１５】図１のカメラにおける主基板と後蓋ＦＰＣとの接続を示す図であって当該カメラに向かって左側面から見た際の内部構成の概略を示す部材構成図。
【符号の説明】
１……カメラ
５……上面操作部材
６……背面操作部材
１０……外装部材
１１……レンズバリア
１５……閃光発光装置
１６……後蓋（フイルムの装填蓋）
１８……撮影レンズ鏡筒
１９……撮影レンズ
２２……オートフォーカスモジュール（ＡＦモジュール）
２３……測光窓
２３ａ……測光センサー
２４……セルフタイマー表示窓
２４ａ……セルフタイマーＬＥＤ
２５……リモコンセンサー窓
２５ａ……リモコンセンサー
３１……支軸
３２……電池室蓋
３４……液晶表示装置（ＬＣＤ；表示装置）
４５……電源電池
４６……パトローネ室（フイルム室）
４７……閃光発光用コンデンサ
４８……電池収納室
４８ｃ……孔部
４９……スプール室（フイルム室）
５０……カメラ本体
５０ｃ……段差部（案内手段）
５０ｄ……段差部
５１……主基板（ＰＣ１；硬質基板；第１のプリント回路基板）
５１ａ・５１ｂ・５１ｃ・５２ａ・５３ｃ・５８ｂ……端子部
５２……副基板（ＰＣ２；硬質基板）
５３……後蓋ＦＰＣ（ＰＣ３；フレキシブルプリント基板；補助基板）
５３ａ……接続端部（後蓋ＦＰＣ；第２のプリント回路基板）
５３ｂ……切欠部
５３……後蓋ＦＰＣ（ＰＣ３）
５４……下面ＦＰＣ（ＰＣ４）
５５……鏡筒ＦＰＣ（ＰＣ５）
５６……測光ＦＰＣ（ＰＣ６）
５７……ＡＦ−ＦＰＣ（ＰＣ７）
５８……上面ＦＰＣ（ＰＣ８）
５９……リード線
６０……ファインダーユニット
６１……制御回路（ＣＰＵ；液晶表示装置駆動回路を含む）
６２……インターフェイス回路（ＩＦＩＣ）
６３……ＦＰＣコネクタ（接続手段）
【図１】
2004117595.tif 000003
【図２】
2004117595.tif 000004
【図３】
2004117595.tif 000005
【図４】
2004117595.tif 000006
【図５】
2004117595.tif 000007
【図６】
2004117595.tif 000008
【図７】
2004117595.tif 000009
【図８】
2004117595.tif 000010
【図９】
2004117595.tif 000011
【図１０】
2004117595.tif 000012
【図１１】
2004117595.tif 000013
【図１２】
2004117595.tif 000014
【図１３】
2004117595.tif 000015
【図１４】
2004117595.tif 000016
【図１５】
2004117595.tif 000017